(57)【要約】【課題】  陽子の質量エネルギーは電子の質量エネルギーの１８３６倍である。それなのに、核磁子はボーア磁子の１８３６分の１である。これはどうしてか。【解決手段】  ボーア磁子は電子のラブが自転した仕事が磁気の光子に変換したと考える。その仕事率をＫとする。仕事の仕事率は仕事の変換率である。電子のラブの仕事エネルギー＝電子のラブの質量エネルギー×走った距離×Ｋ電子のラブの仕事＝ボーア磁子を作る仕事の場合、Ｋ＝仕事の変換率は、電子のラブの仕事がボーア磁子に変換する割合である。それで、電子のラブの仕事＝８×１０−１４Ｊ×３．１４×１．２５×１０−１０ｍ×７．９６×１０７公転×Ｋ＝２．５×１０−１５Ｊ×Ｋ＝９．２７４×１０−２４Ｊ    Ｋ＝３．７１×１０−９電子のラブが１束のボーア磁子を作る仕事の変換率は３．７１×１０−９です。陽子のラブも電子のラブも自分の仕事エネルギーの３．７１×１０−９倍を光子のエネルギーに変換している。【選択図】図１
2007236184.tif 000002
【特許請求の範囲】
【請求項１】
ボーア磁子ができるメカニズム（原理）。ボーア磁子はどのようにできるか。
ボーア磁子は電子のラブが自転する事によってできる。ボーア磁子は９．２７４×１０−２４Ｊである。このエネルギーはどのようにできるのか。電子のラブは１公転するとき、１個の電気の光子を作り、７．９６×１０７個の磁気の光子を作る。これは、電束密度：磁束密度＝１：７．９６×１０７によって理解できる。
ボーア磁子の磁気の光子は電子のラブが１公転するとき７．９６×１０７回自転する事によってできる。
ボーア磁子１束には何個の磁気の光子が存在するか。
ボーア磁子は（７．９６×１０７）２個の磁気の光子の束であるとしますと、磁気の光子１個のエネルギーは、９．２７４×１０−２４Ｊ÷（７．９６×１０７）２個＝１．４６×１０−３９Ｊです。
磁気の光子の軌道は、１０−５５Ｊｍ÷（１．４６×１０−３９Ｊ）＝６．８５×１０−１７ｍです。
本発明者は、電子のラブの自転軌道は、１．２５×１０−１８ｍで、１自転によってできる磁気の光子１個のエネルギーは、８×１０−３８Ｊである。１公転で１０８個の磁気の光子ができると理解しています。それで、この値は妥当であると考えます。
よって、ボーア磁子１束には（７．９６×１０７）２個の磁気の光子が存在する。
磁気の光子（７．９６×１０７）２個は、電子のラブが７．９６×１０７回公転する事によってできる。
よって、ボーア磁子１束は、電子のラブが７．９６×１０７回公転する事によってできる（７．９６×１０７）２個の磁気の光子の束です。
１秒間にボーア磁子は何束できるか。
本発明者は、電子のラブは１秒間に１０１６回公転し、１０２４回自転すると理解している。それで、１秒間にボーア磁子は７．９６×１０７束できる。
電子のラブは公転軌道を何ｍ走って１自転し、１個の磁気の光子を作っているか。ボーア磁子はどのようにできるか。
電子のラブは、１．２５×１０−１０ｍの軌道を１回公転し、７．９６×１０７個の磁気の光子を作っている。
それで、電子のラブが１個の磁気の光子を作るとき、公転軌道上を進む距離は、
電子のラブが１公転する距離÷（７．９６×１０７個）＝３．１４×１．２５×１０−１０ｍ÷（７．９６×１０７個）＝４．９３×１０−１８ｍです。
電子のラブは、公転軌道上を４．９３×１０−１８ｍ進んで１回転（１自転）し、１個の磁気の光子を作っている。
電子のラブの大きさは、約１０−２８ｍですから、自分の大きさの１０１０倍の長さを１回転（１自転）し、磁気の光子１個を作っている。
電子のラブの自転軌道は４．９３×１０−１８ｍで、１自転し、磁気の光子１個を作る。磁気の光子１個のエネルギーは、１．４６×１０−３９Ｊです。これが、ボーア磁子のできるメカニズム（原理）です。
電子のラブは、１公転する間に７．９６×１０７回自転し、７．９６×１０７個の磁気の光子を作る。
ボーア磁子は、電子のラブが７．９６×１０７回公転してできた磁気の光子（７．９６×１０７）２個が１束になったものです。
【請求項２】
核磁子ができるメカニズム（原理）。核磁子はどのようにできるか。
核磁子は陽子のラブが自転する事によってできる。核磁子は５．０５×１０−２７Ｊである。このエネルギーはどのようにできるのか。
陽子のラブのエネルギーは電子のラブのエネルギーの１８３６倍です。
それで、陽子のラブが１自転してできる磁気の光子のエネルギーは、電子のラブが１自転してできる磁気の光子のエネルギーの１８３６倍です。
陽子のラブが１自転してできる磁気の光子のエネルギーは、
１８３６×１．４６×１０−３９Ｊ＝２．６８×１０−３６Ｊです。
核磁子１束の中には何個の磁気の光子が存在するか。
５．０５×１０−２７Ｊ÷（２．６８×１０−３６Ｊ）＝１．８８４３×１０９個の磁気の光子が存在する。
陽子のラブは１公転するとき何個の磁気の光子を作るか。
ボーア磁子は、電子のラブが７．９６×１０７回公転してできた磁気の光子（７．９６×１０７）２個が１束になったものですから、核磁子１束の磁気の光子１．８８４３×１０９個は、陽子のラブが（１．８８４３×１０９個）１／２＝４．３４×１０４公転してできた。
１公転でできる磁気の光子は、（１．８８４３×１０９個）１／２＝４．３４×１０４個です。
よって、核磁子１束には（４．３４×１０４）２個の磁気の光子が存在する。
磁気の光子（４．３４×１０４）２個は、陽子のラブが４．３４×１０４回公転する事によってできる。
よって、核磁子１束は、陽子のラブが４．３４×１０４回公転する事によってできる（４．３４×１０４）２個の磁気の光子の束です。
陽子のラブは公転軌道を何ｍ走って１自転し、１個の磁気の光子を作っているか。核磁子はどのようにできるか。
陽子のラブは、６．６７×１０−１４ｍの軌道を１回公転し、４．３４×１０４個の磁気の光子を作っている。
それで、陽子のラブが１個の磁気の光子を作るとき、公転軌道上を進む距離は、
陽子のラブが１公転する距離÷（４．３４×１０４個）＝３．１４×６．６７×１０−１４ｍ÷（４．３４×１０４個）＝４．８３×１０−１８ｍです。
陽子のラブは、公転軌道上を４．８３×１０−１８ｍで１回転（１自転）し、１個の磁気の光子を作っている。
陽子のラブの大きさは、約１０−３１ｍですから、自分の大きさの１０１３倍の長さを１回転（１自転）し、磁気の光子１個を作っている。
陽子のラブの自転軌道は４．８３×１０−１８ｍで、１自転し、磁気の光子１個を作る。磁気の光子１個のエネルギーは、２．８６×１０−３６Ｊです。これが、核磁子のできるメカニズム（原理）です。
陽子のラブは、１公転する間に４．３４×１０４回自転し、４．３４×１０４個の磁気の光子を作る。
核磁子は、陽子のラブが４．３４×１０４回公転してできた磁気の光子（４．３４×１０４）２個が１束になったものです。
【請求項３】
ボーア磁子と核磁子ができる原理はどのように説明されるか。
電子のラブは公転軌道を４．９３×１０−１８ｍで１回転し、磁気の光子１個を作る。そのエネルギーは１．４６×１０−３９Ｊです。
この事は、電子のラブは、自分の仕事エネルギーを磁気の光子のエネルギーに変換したという事です。
仕事の仕事率を仕事の変換率と名づける。
▲１▼１個の磁気の光子を作る仕事の場合。
電子のラブの仕事エネルギー＝走った距離×電子のラブの質量エネルギー×Ｋ＝３．１４×４．９３×１０−１８ｍ×８×１０−１４Ｊ×Ｋ＝１．２３８×１０−３０Ｊ×Ｋ
電子のラブの仕事エネルギー＝磁気の光子１個のエネルギー＝１．４６×１０−３９Ｊ
１．４６×１０−３９Ｊ＝１．２３８×１０−３０Ｊ×Ｋ    Ｋは１個の磁気の光子を作る仕事の変換率です。
Ｋ＝１．１７９×１０−９
電子のラブが１個の磁気の光子を作る仕事の変換率は１．１７９×１０−９です。
陽子のラブは公転軌道を４．８７×１０−１８ｍで１回転し、磁気の光子１個を作る。そのエネルギーは２．６９×１０−３６Ｊです。
この事は、陽子のラブは、自分の仕事エネルギーを磁気の光子のエネルギーに変換したという事です。
陽子のラブの仕事エネルギー＝走った距離×陽子のラブの質量エネルギー×Ｋ＝３．１４×４．８７×１０−１８ｍ×１．５×１０−１０Ｊ×Ｋ＝２．２９４×１０−２７Ｊ×Ｋ陽子のラブの仕事エネルギー＝磁気の光子１個のエネルギー＝２．６９×１０−３６Ｊ２．６９×１０−３６Ｊ−２．２９４×１０−２７Ｊ×Ｋ    Ｋは１個の磁気の光子を作る仕事の変換率です。
Ｋ＝１．１７３×１０−９
陽子のラブが１個の磁気の光子を作る仕事の変換率は１．１７９×１０−９です。
▲２▼ボーア磁子と核磁子を作る仕事の場合。
電子のラブの仕事エネルギー＝走った距離×電子のラブの質量エネルギー×Ｋ＝３．１４×１．２５×１０−１０ｍ×７．９６×１０７公転×８×１０−１４Ｊ×Ｋ＝２．５×１０−１５Ｊ×Ｋ
電子のラブの仕事エネルギー＝１束のボーア磁子のエネルギー＝９．２７４×１０−２４Ｊ
９．２７４×１０−２４Ｊ＝２．５×１０−１５Ｊ×Ｋ    Ｋは１束のボーア磁子を作る仕事の変換率です。
Ｋ＝３．７１×１０−９
電子のラブが１束のボーア磁子を作る仕事の変換率は３．７１×１０−９です。
陽子のラブの仕事エネルギー＝走った距離×陽子のラブの質量エネルギー×Ｋ＝３．１４×６．６７×１０−１４ｍ×４．３４×１０４公転×１．５×１０−１０Ｊ×Ｋ＝１．３６３×１０−１８Ｊ×Ｋ
陽子のラブの仕事エネルギー＝１束の核磁子のエネルギー＝５．０５×１０−２７Ｊ
５．０５×１０−２７Ｊ＝１．３６３×１０−１８Ｊ×Ｋ    Ｋは１束の核磁子を作る仕事の変換率です。
Ｋ＝３．７１×１０−９
陽子のラブが１束の核磁子を作る仕事の変換率は３．７１×１０−９です。
▲３▼１秒間に磁気の光子を作る仕事の場合。
電子のラブの１秒間の仕事エネルギー＝走った距離×電子のラブの質量エネルギー×Ｋ＝３．１４×１．２５×１０−１０ｍ×（７．９６×１０７）２公転×８×１０−１４Ｊ×Ｋ＝１．９９×１０−７Ｊ×Ｋ
電子のラブの１秒間の仕事エネルギー＝電子のラブが１秒間に作る磁気の光子のエネルギー＝７．３８２×１０−１６Ｊ
７．３８２×１０−１６Ｊ＝１．９９×１０−７Ｊ×Ｋ    Ｋは１秒間に磁気の光子を作る仕事の変換率です。
Ｋ＝３．７１×１０−９
電子のラブが１束のボーア磁子を作る仕事の変換率は３．７１×１０−９です。
陽子のラブの１秒間の仕事エネルギー＝走った距離×陽子のラブの質量エネルギー×Ｋ＝３．１４×６．６７×１０−１４ｍ×３．４５×１０１２公転×１．５×１０−１０Ｊ×Ｋ＝１．０８４×１０−１０Ｊ×Ｋ
陽子のラブの１秒間の仕事エネルギー＝１秒間に作る磁気の光子のエネルギー＝４．０２×１０−１９Ｊ
４．０２×１０−１９Ｊ＝１．０８４×１０−１０Ｊ×Ｋ    Ｋは１秒間に磁気の光子を作る仕事の変換率です。
Ｋ＝３．７１×１０−９
陽子のラブが１秒間に磁気の光子を作る仕事の変換率は３．７１×１０−９です。
よって、Ｋを仕事率と考えると、電子のラブの仕事率と陽子のラブの仕事率は同じである。
Ｋを仕事の変換率と考えると、電子のラブの仕事の変換率と陽子のラブの仕事の変換率は同じである。
よって、電子のラブの自転の仕事エネルギーが磁気の光子に変換され磁気の光子のエネルギーになり、ボーア磁子はその１束である。
陽子のラブの自転の仕事エネルギーが磁気の光子に変換され磁気の光子のエネルギーになり、核磁子はその１束である。
この事によって、電子のラブや陽子のラブは純粋に光子の塊であると理解できる。
又次のようにも考えられる。
電子のラブと陽子のラブは光子を作る仕事をしている。その仕事は自転により磁気の光子を作ることである。その仕事は公転により電気の光子を作ることである。走って光子を作る仕事をしている。
ラブは自分がした仕事エネルギーの３．７１×１０−９倍のエネルギーを光子のエネルギーに変換する仕事をしている。
【請求項４】
電子のラブは１秒間に何Ｊの磁気の光子を作るか。何束のボーア磁子を作るか。
電子のラブは１秒間に、（７．９６×１０７）２回公転するので、７．９６×１０７束のボーア磁子を作る。
電子のラブは１秒間に、７．９６×１０７束×９．２７４×１０−２４Ｊ＝７．３８２×１０−１６Ｊの磁気の光子を作る。
これは、電子のラブのエネルギーの何分の１か。
８×１０−１４Ｊ÷（７．３８２×１０−１６Ｊ）＝１．０８４×１０２分の１です。
【請求項５】
陽子のラブは１秒間に何Ｊの磁気の光子を作るか。何束の核磁子を作るか。
陽子のラブが１秒間につくる磁気の光子のエネルギーは、電子のラブが１秒間に作る磁気の光子のエネルギーの１８３６分の１ですから、
７．３８２×１０−１６Ｊ÷１８３６＝４．０２×１０−１９Ｊです。
これは、核磁子が何束分か。
４．０２×１０−１９Ｊ÷（５．０５×１０−２７Ｊ）＝７．９６×１０７束です。
陽子のラブは、４．３４×１０４公転してできた磁気の光子（４．３４×１０４）２個が１束になり、１秒間に７．９６×１０７束作る。
陽子のラブは１秒間に、７．９６×１０７束×５．０５×１０−２７Ｊ＝４．０２×１０−１９Ｊの磁気の光子を作る。
これは、陽子のラブのエネルギーの何分の１か。
１．５×１０−１０Ｊ÷（４．０２×１０−１９Ｊ）＝３．７３×１０８分の１です。
【請求項６】
電子のラブの公転数と秒速はいくらか。陽子のラブの公転数と秒速はいくらか。
電子のラブは１秒間に（７．９６×１０７）２＝６．３３６×１０１５回公転する。
秒速は、３．１４×１．２５×１０−１０ｍ×６．３３６×１０１５回＝２．４８７×１０６ｍです。
陽子のラブは、１秒間に、４．３４×１０４公転が７．９６×１０７束ですから、
４．３４×１０４公転×７．９６×１０７＝３．４５５×１０１２公転です。
秒速は、３．１４×６．６７×１０−１４ｍ×３．４５５×１０１２公転＝７．２４×１０−１ｍです。
【請求項７】
ボーア磁子の軌道は何ｍか。ボーア磁子の磁気の光子の数の密度はいくらか。
ボーア磁子の磁気の光子のエネルギーの密度はいくらか。核磁子の軌道は何ｍか。核磁子の磁気の光子の数の密度はいくらか。核磁子の磁気の光子のエネルギーの密度はいくらか。
ボーア磁子の磁気の光子１個のエネルギーは、９．２７４×１０−２４Ｊ÷（７．９６×１０７）２個＝１．４６×１０−３９Ｊです。
１公転のエネルギーは、１．４６×１０−３９Ｊ×７．９６×１０７個＝１．１６２×１０−３１Ｊです。
この軌道は、１０−３９Ｊｍ÷（１．１６２×１０−３１Ｊ）８．６×１０−９ｍです。
８．６×１０−９ｍに６．３３６×１０１５個の磁気の光子が存在する。
ボーア磁子の磁気の光子の数の密度＝６．３３６×１０１５個÷（８．６×１０−９ｍ）です。
ボーア磁子の磁気の光子のエネルギーの密度＝９．２７４×１０−２４Ｊ÷（８．６×１０−９ｍ）です。
核磁子の１個のエネルギーは、５．０５×１０−２７Ｊ÷（４．３４×１０４）２個＝２．６８×１０−３６Ｊです。
１公転のエネルギーは、２．６８×１０−３６Ｊ×４．３４×１０４個＝１．１６３×１０−３１Ｊです。
この軌道は、１０−３９Ｊｍ÷（１．１６３×１０−３１Ｊ）＝８．６×１０−９ｍです。
８．６×１０−９ｍに１．８８×１０９個の磁気の光子が存在する。
核磁子の磁気の光子の数の密度＝１．８８×１０９個÷（８．６×１０−９ｍ）です。
核磁子の磁気の光子のエネルギーの密度＝５．０５×１０−２７Ｊ÷（８．６×１０−９ｍ）です。
【請求項８】
ボーア磁子から、電子のラブが公転してできる電気の光子についてまとめます。
電子のラブが１公転でできるエネルギーはいくらか。
電子のラブが１公転でできる電気の光子のエネルギーは、磁気の光子７．９６×１０７個分のエネルギーですから、
９．２７４×１０−２４Ｊ÷（７．９６×１０７）＝１．１６５×１０−３１Ｊです。
この軌道は、
１０−３９Ｊｍ÷（１．１６５×１０−３１Ｊ）＝８．５８×１０−９ｍです。
１秒間にできる電気の光子のエネルギーは、
７．９６×１０７束×ボーア磁子＝７．９６×１０７束×９．２７４×１０−２４Ｊ＝７．３８２×１０−１６Ｊです。
よって、電子のラブが１秒間に作る電気の光子のエネルギー＝電子のラブが１秒間に作る磁気の光子のエネルギー＝７．３８２×１０−１６Ｊ
これは、電子のラブのエネルギーの、８×１０−１４Ｊ÷（７．３８２×１０−１６Ｊ）＝１．０８４×１０２分の１です。
電子のラブは１秒間に、（７．９６×１０７）２＝６．３３６×１０１５回公転し、６．３３６×１０１５個の電気の光子を作る。
１束の電気の光子のエネルギーはいくらか。
核磁子の１束の公転数は、７．９６×１０７公転ですから、電子のラブが作る１束の電気の光子のエネルギーは、
１．１６５×１０−３１Ｊ×７．９６×１０７公転＝９．２７３４×１０−２４Ｊです。
電子のラブが作る電気の光子のエネルギーの密度は、９．２７３４×１０−２４Ｊ÷（８．５８×１０−９ｍ）です。
１束の電気の光子の数はいくらか。
核磁子の１束の公転数は、７．９６×１０７公転ですから、１束の電気の光子の数は７．９６×１０７個です。
電子のラブが作る電気の光子の数の密度は、７．９６×１０７個÷（８．５８×１０−９ｍ）です。
【請求項９】
核磁子から、陽子のラブが公転してできる電気の光子についてまとめます。
陽子のラブが１公転でできるエネルギーはいくらか。
陽子のラブが１公転でできる電気の光子のエネルギーは、磁気の光子４．３４×１０４個分のエネルギーですから、
５．０５×１０−２７Ｊ÷（４．３４×１０４）＝１．１６５×１０−３１Ｊです。
この軌道は、
１０−３９Ｊｍ÷（１．１６５×１０−３１Ｊ）＝８．５８×１０−９ｍです。
よって、陽子のラブが１公転してできる電気の光子のエネルギー＝電子のラブが１公転してできる電気の光子のエネルギー＝陽子のラブが１公転してできる磁気の光子のエネルギー＝電子のラブが１公転してできる磁気の光子のエネルギー＝１．１６５×１０−３１Ｊ
よって、陽子のラブでできる電気の光子の軌道＝電子のラブでできる電気の光子の軌道＝８．５８×１０−９ｍ
１秒間にできる電気の光子のエネルギーは、
７．９６×１０７束×核磁子＝７．９６×１０７束×５．０５×１０−２７Ｊ＝４．０２×１０−１９Ｊです。
よって、陽子のラブが１秒間に作る電気の光子のエネルギー＝陽子のラブが１秒間作る磁気の光子のエネルギー＝４．０２×１０−１９Ｊ
これは、陽子のラブのエネルギーの、１．５×１０−１０Ｊ÷（４．０２×１０−１９Ｊ）＝３．７３×１０８分の１です。
陽子のラブは１秒間に、７．９６×１０７×４．３４×１０４＝３．４５５×１０１２回公転し、３．４５５×１０１２個の電気の光子を作る。
１束の電気の光子のエネルギーはいくらか。
核磁子の１束の公転数は、４．３４×１０４公転ですから、陽子のラブが作る１束の電気の光子のエネルギーは、
１．１６５×１０−３１Ｊ×４．３４×１０４公転＝５．０５×１０−２７Ｊです。
陽子のラブが作る電気の光子のエネルギーの密度は、５．０５×１０−２７Ｊ÷（８．５８×１０−９ｍ）です。
１束の電気の光子の数はいくらか。
核磁子の１束の公転数は、４．３４×１０４公転ですから、１束の電気の光子の数は４．３４×１０４個です。
陽子のラブが作る電気の光子の数の密度は、４．３４×１０４個÷（８．５８×１０−９ｍ）です。
【請求項１０】
ボーア磁子の磁気の光子の数の密度：核磁子の磁気の光子の数の密度はいくらか。ボーア磁子の磁気の光子のエネルギーの密度：核磁子の磁気の光子のエネルギーの密度はいくらか。電子のラブが作る電気の光子の数の密度：陽子のラブが作る電気の光子の数の密度はいくらか。電子のラブが作る電気の光子のエネルギーの密度：陽子のラブが作る電気の光子のエネルギーの密度はいくらか。
ボーア磁子の磁気の光子の数の密度：核磁子の磁気の光子の数の密度はいくらか。
ボーア磁子の磁気の光子の数の密度＝６．３３６×１０１５個÷（８．６×１０−９ｍ）です。
核磁子の磁気の光子の数の密度＝１．８８×１０９個÷（８．６×１０−９ｍ）です。
ボーア磁子の磁気の光子の数の密度：核磁子の磁気の光子の数の密度＝６．３３６×１０１５個÷（８．６×１０−９ｍ）：１．８８×１０９個÷（８．６×１０−９ｍ）＝６．３３６×１０１５個：１．８８×１０９個＝３．３７×１０６＝１８３６×１８３６：１
ボーア磁子の磁気の光子のエネルギーの密度：核磁子の磁気の光子のエネルギーの密度はいくらか。
ボーア磁子の磁気の光子のエネルギーの密度＝９．２７４×１０−２４Ｊ÷（８．６×１０−９ｍ）です。
核磁子の磁気の光子のエネルギーの密度＝５．０５×１０−２７Ｊ÷（８．６×１０−９ｍ）です。
ボーア磁子の磁気の光子のエネルギーの密度：核磁子の磁気の光子のエネルギーの密度＝９．２７４×１０−２４Ｊ÷（８．６×１０−９ｍ）：５．０５×１０−２７Ｊ÷（８．６×１０−９ｍ）＝９．２７４×１０−２４Ｊ：５．０５×１０−２７Ｊ＝１８３６：１
電子のラブが作る電気の光子の数の密度：陽子のラブが作る電気の光子の数の密度はいくらか。
電子のラブが作る電気の光子の数の密度は、７．９６×１０７個÷（８．５８×１０−９ｍ）です。
陽子のラブが作る電気の光子の数の密度は、４．３４×１０４個÷（８．５８×１０−９ｍ）です。
電子のラブが作る電気の光子の数の密度：陽子のラブが作る電気の光子の数の密度＝７．９６×１０７個÷（８．５８×１０−９ｍ）：４．３４×１０４個÷（８．５８×１０−９ｍ）＝７．９６×１０７個：４．３４×１０４個＝１８３４：１
電子のラブが作る電気の光子のエネルギーの密度：陽子のラブが作る電気の光子のエネルギーの密度はいくらか。
電子のラブが作る電気の光子のエネルギーの密度は、９．２７３４×１０−２４Ｊ÷（８．５８×１０−９ｍ）です。
陽子のラブが作る電気の光子のエネルギーの密度は、５．０５×１０−２７Ｊ÷（８．５８×１０−９ｍ）です。
電子のラブが作る電気の光子のエネルギーの密度：陽子のラブが作る電気の光子のエネルギーの密度＝９．２７３４×１０−２４Ｊ÷（８．５８×１０−９ｍ）：５．０５×１０−２７Ｊ÷（８．５８×１０−９ｍ）＝９．２７３４×１０−２４Ｊ：５．０５×１０−２７Ｊ＝１８３６：１
【請求項１１】
ボーア磁子の磁気の光子の数の密度：核磁子の磁気の光子の数の密度＝１８３６×１８３６：１になる原因は何か。
引力は磁気の光子のエネルギーの２乗です。
電子のラブの引力：陽子のラブの引力＝（電子のラブの磁気の光子のエネルギー）２：（陽子のラブの磁気の光子のエネルギー）２＝ボーア磁子２：核磁子２＝（９．２７４×１０−２４Ｊ）２：（５．０５×１０−２７Ｊ）２＝３．３７２×１０６：１＝１８３６×１８３６：１
よって、ボーア磁子の磁気の光子の数は電子のラブの引力に比例し、核磁子の磁気の光子の数は陽子のラブの引力に比例する。
【請求項１２】
ニュートリノについて。
本発明者は２００６年８月２０日に提出した特願２００６−２５０００２の「請求項１」に、電子のラブの軌道であった電気の光子の軌道が放出します。放出する電気の光子の軌道がニュートリノです、と記した。これは誤りです。
ニュートリノは電子のラブの軌道にあった電気の光子と磁気の光子が一緒に放出したものです。これは２００６年６月２７日提出した特願２００６−２０２５６０の「請求項１２」に記した。
【発明の詳細な説明】
【技術分野】
【０００１】  この発明はボーア磁子と核磁子に関する。電子が作る磁気と電気に関する。陽子が作る磁気と電気に関する。
【背景技術】
【０００２】  従来、ボーア磁子は１束９．２７４×１０−２４Ｊである。核磁子は１束５．０５×１０−２７Ｊである。
【発明の開示】
陽子の質量エネルギーは１．５×１０−１０Ｊであり、電子の質量エネルギーは８×１０−１４Ｊである。陽子の質量エネルギーは電子の質量エネルギーの１８３６倍であるのに、核磁子はボーア磁子の１８３６分の１である。これはどうしてなのか。ボーア磁子と核磁子はどのようなメカニズムによってできるのか。その原理は何か。
【発明が解決しようとする課題】
【０００３】１．ボーア磁子ができるメカニズム（原理）。ボーア磁子はどのようにできるか。
２．核磁子ができるメカニズム（原理）。核磁子はどのようにできるか。
３．ボーア磁子と核磁子ができる原理はどのように説明されるか。
４．電子のラブは１秒間に何Ｊの磁気の光子を作るか。何束のボーア磁子を作るか。
５．陽子のラブは１秒間に何Ｊの磁気の光子を作るか。何束の核磁子を作るか。
６．電子のラブの公転数と秒速はいくらか。陽子のラブの公転数と秒速はいくらか。
７．ボーア磁子の軌道は何ｍか。ボーア磁子の磁気の光子の数の密度はいくらか。ボーア磁子の磁気の光子のエネルギーの密度はいくらか。核磁子の軌道は何ｍか。核磁子の磁気の光子の数の密度はいくらか。核磁子の磁気の光子のエネルギーの密度はいくらか。
８．ボーア磁子から、電子のラブが公転してできる電気の光子についてまとめます。
９．核磁子から、陽子のラブが公転してできる電気の光子についてまとめます。
１０．ボーア磁子の磁気の光子の数の密度：核磁子の磁気の光子の数の密度はいくらか。
ボーア磁子の磁気の光子のエネルギーの密度：核磁子の磁気の光子のエネルギーの密度はいくらか。電子のラブが作る電気の光子の数の密度：陽子のラブが作る電気の光子の数の密度はいくらか。電子のラブが作る電気の光子のエネルギーの密度：陽子のラブが作る電気の光子のエネルギーの密度はいくらか。
１１．ボーア磁子の磁気の光子の数の密度：核磁子の磁気の光子の数の密度＝１８３６×１８３６：１になる原因は何か。
１２．ニュートリノについて。
【発明を解決するための手段】
【０００４】  ボーア磁子は電子のラブが自転してできた磁気の光子の束である。
▲１▼ボーア磁子は電子のラブが自転した仕事が磁気の光子に変換した、と考える。その仕事率（＝変換率）をＫとする。仕事率を変換率とする。
電子のラブの仕事エネルギー＝電子のラブの質量エネルギー×走った距離×Ｋ
電子のラブの仕事エネルギー＝１個の磁気の光子のエネルギー  の場合、その変換率は１個の磁気の光子を作る変換率である。
電子のラブの仕事エネルギー＝１束のボーア磁子のエネルギー  の場合、その変換率は１束のボーア磁子を作る変換率である。
電子のラブの１秒間の仕事エネルギー＝１秒間にできる磁気の光子のエネルギー  の場合、その変換率は１秒間にできる磁気の光子の変換率である。
陽子の場合も同じように考える。
陽子のラブの仕事エネルギー＝陽子のラブの質量エネルギー×走った距離×Ｋ
▲２▼ボーア磁子のエネルギーは核磁子のエネルギーの１８３６倍である。
この事は、電子のラブの質量エネルギーは陽子のラブの質量エネルギーの１８３６倍であるから、電子のラブが走る距離は、陽子のラブが走る距離の１８３６２倍である。
電子のラブの秒速を４×１０６ｍとすると、陽子のラブの秒速は、４×１０６ｍ÷１８３６２＝１．１８６ｍです。
電子のラブの公転軌道は１．２５×１０−１０ｍであり、１０１６公転である。陽子のラブの公転軌道は６．６７×１０−１４ｍであるから、陽子のラブの１秒間の公転数は、
１．１８６ｍ÷（３．１４×６．６７×１０−１４ｍ）＝５．６６×１０１２公転である。
ボーア磁子が１秒間に１０８束できるとすると、核磁子も１秒間に１０８束できる。
それで、ボーア磁子１束は、１０１６−８＝１０８公転である。
核磁子１束は、１０１２−８＝１０４公転である。
【発明の実施態様】
【０００５】１．  ボーア磁子ができるメカニズム（原理）。ボーア磁子はどのようにできるか。図１、図２
ボーア磁子は電子のラブが自転する事によってできる。ボーア磁子は９．２７４×１０−２４Ｊである。このエネルギーはどのようにできるのか。電子のラブは１公転するとき、１個の電気の光子を作り、７．９６×１０７個の磁気の光子を作る。これは、電束密度：磁束密度＝１：７．９６×１０７によって理解できる。
ボーア磁子の磁気の光子は電子のラブが１公転するとき７．９６×１０７回自転する事によってできる。
ボーア磁子１束には何個の磁気の光子が存在するか。
ボーア磁子は（７．９６×１０７）２個の磁気の光子の束であるとしますと、磁気の光子１個のエネルギーは、９．２７４×１０−２４Ｊ÷（７．９６×１０７）２個＝１．４６×１０−３９Ｊです。
磁気の光子の軌道は、１０−５５Ｊｍ÷（１．４６×１０−３９Ｊ）＝６．８５×１０−１７ｍです。
本発明者は、電子のラブの自転軌道は、１．２５×１０−１８ｍで、１自転によってできる磁気の光子１個のエネルギーは、８×１０−３８Ｊである。１公転で１０８個の磁気の光子ができると理解しています。それで、この値は妥当であると考えます。
よって、ボーア磁子１束には（７．９６×１０７）２個の磁気の光子が存在する。
磁気の光子（７．９６×１０７）２個は、電子のラブが７．９６×１０７回公転する事によってできる。
よって、ボーア磁子１束は、電子のラブが７．９６×１０７回公転する事によってできる（７．９６×１０７）２個の磁気の光子の束です。
１秒間にボーア磁子は何束できるか。
本発明者は、電子のラブは１秒間に１０１６回公転し、１０２４回自転すると理解している。それで、１秒間にボーア磁子は７．９６×１０７束できる。
電子のラブは公転軌道を何ｍ走って１自転し、１個の磁気の光子を作っているか。ボーア磁子はどのようにできるか。
電子のラブは、１．２５×１０−１０ｍの軌道を１回公転し、７．９６×１０７個の磁気の光子を作っている。
それで、電子のラブが１個の磁気の光子を作るとき、公転軌道上を進む距離は、
電子のラブが１公転する距離÷（７．９６×１０７個）＝３．１４×１．２５×１０−１０ｍ÷（７．９６×１０７個）＝４．９３×１０−１８ｍです。
電子のラブは、公転軌道上を４．９３×１０−１８ｍ進んで１回転（１自転）し、１個の磁気の光子を作っている。
電子のラブの大きさは、約１０−２８ｍですから、自分の大きさの１０１０倍の長さを１回転（１自転）し、磁気の光子１個を作っている。
電子のラブの自転軌道は４．９３×１０−１８ｍで、１自転し、磁気の光子１個を作る。磁気の光子１個のエネルギーは、１．４６×１０−３９Ｊです。これが、ボーア磁子のできるメカニズム（原理）です。
電子のラブは、１公転する間に７．９６×１０７回自転し、７．９６×１０７個の磁気の光子を作る。
ボーア磁子は、電子のラブが７．９６×１０７回公転してできた磁気の光子（７．９６×１０７）２個が１束になったものです。
２．  核磁子ができるメカニズム（原理）。核磁子はどのようにできるか。図１、図２
核磁子は陽子のラブが自転する事によってできる。核磁子は５．０５×１０−２７Ｊである。このエネルギーはどのようにできるのか。
陽子のラブのエネルギーは電子のラブのエネルギーの１８３６倍です。
それで、陽子のラブが１自転してできる磁気の光子のエネルギーは、電子のラブが１自転してできる磁気の光子のエネルギーの１８３６倍です。
陽子のラブが１自転してできる磁気の光子のエネルギーは、
１８３６×１．４６×１０−３９Ｊ＝２．６８×１０−３６Ｊです。
核磁子１束の中には何個の磁気の光子が存在するか。
５．０５×１０−２７Ｊ÷（２．６８×１０−３６Ｊ）＝１．８８４３×１０９個の磁気の光子が存在する。
陽子のラブは１公転するとき何個の磁気の光子を作るか。
ボーア磁子は、電子のラブが７．９６×１０７回公転してできた磁気の光子（７．９６×１０７）２個が１束になったものですから、核磁子１束の磁気の光子１．８８４３×１０９個は、陽子のラブが（１．８８４３×１０９個）１／２＝４．３４×１０４公転してできた。
１公転でできる磁気の光子は、（１．８８４３×１０９個）１／２＝４．３４×１０４個です。
よって、核磁子１束には（４．３４×１０４）２個の磁気の光子が存在する。
磁気の光子（４．３４×１０４）２個は、陽子のラブが４．３４×１０４回公転する事によってできる。
よって、核磁子１束は、陽子のラブが４．３４×１０４回公転する事によってできる（４．３４×１０４）２個の磁気の光子の束です。
陽子のラブは公転軌道を何ｍ走って１自転し、１個の磁気の光子を作っているか。核磁子はどのようにできるか。
陽子のラブは、６．６７×１０−１４ｍの軌道を１回公転し、４．３４×１０４個の磁気の光子を作っている。
それで、陽子のラブが１個の磁気の光子を作るとき、公転軌道上を進む距離は、
陽子のラブが１公転する距離÷（４．３４×１０４個）＝３．１４×６．６７×１０−１４ｍ÷（４．３４×１０４個）＝４．８３×１０−１８ｍです。
陽子のラブは、公転軌道上を４．８３×１０−１８ｍで１回転（１自転）し、１個の磁気の光子を作っている。
陽子のラブの大きさは、約１０−３１ｍですから、自分の大きさの１０１３倍の長さを１回転（１自転）し、磁気の光子１個を作っている。
陽子のラブの自転軌道は４．８３×１０−１８ｍで、１自転し、磁気の光子１個を作る。磁気の光子１個のエネルギーは、２．８６×１０−３６Ｊです。これが、核磁子のできるメカニズム（原理）です。
陽子のラブは、１公転する間に４．３４×１０４回自転し、４．３４×１０４個の磁気の光子を作る。
核磁子は、陽子のラブが４．３４×１０４回公転してできた磁気の光子（４．３４×１０４）２個が１束になったものです。
３．  ボーア磁子と核磁子ができる原理はどのように説明されるか。図２
電子のラブは公転軌道を４．９３×１０−１８ｍで１回転し、磁気の光子１個を作る。そのエネルギーは１．４６×１０−３９Ｊです。
この事は、電子のラブは、自分の仕事エネルギーを磁気の光子のエネルギーに変換したという事です。
仕事の仕事率を仕事の変換率と名づける。
▲１▼１個の磁気の光子を作る仕事の場合。
電子のラブの仕事エネルギー＝走った距離×電子のラブの質量エネルギー×Ｋ＝３．１４×４．９３×１０−１８ｍ×８×１０−１４Ｊ×Ｋ＝１．２３８×１０−３０Ｊ×Ｋ
電子のラブの仕事エネルギー＝磁気の光子１個のエネルギー＝１．４６×１０−３９Ｊ
１．４６×１０−３９Ｊ＝１．２３８×１０−３０Ｊ×Ｋ    Ｋは１個の磁気の光子を作る仕事の変換率です。
Ｋ＝１．１７９×１０−９
電子のラブが１個の磁気の光子を作る仕事の変換率は１．１７９×１０−９です。
陽子のラブは公転軌道を４．８７×１０−１８ｍで１回転し、磁気の光子１個を作る。そのエネルギーは２．６９×１０−３６Ｊです。
この事は、陽子のラブは、自分の仕事エネルギーを磁気の光子のエネルギーに変換したという事です。
陽子のラブの仕事エネルギー＝走った距離×陽子のラブの質量エネルギー×Ｋ＝３．１４×４．８７×１０−１８ｍ×１．５×１０−１０Ｊ×Ｋ＝２．２９４×１０−２７Ｊ×Ｋ
陽子のラブの仕事エネルギー＝磁気の光子１個のエネルギー＝２．６９×１０−３６Ｊ
２．６９×１０−３６Ｊ＝２．２９４×１０−２７Ｊ×Ｋ    Ｋは１個の磁気の光子を作る仕事の変換率です。
Ｋ＝１．１７３×１０−９
陽子のラブが１個の磁気の光子を作る仕事の変換率は１．１７９×１０−９です。
▲２▼ボーア磁子と核磁子を作る仕事の場合。
電子のラブの仕事エネルギー＝走った距離×電子のラブの質量エネルギー×Ｋ＝３．１４×１．２５×１０−１０ｍ×７．９６×１０７公転×８×１０−１４Ｊ×Ｋ＝２．５×１０−１５Ｊ×Ｋ
電子のラブの仕事エネルギー＝１束のボーア磁子のエネルギー＝９．２７４×１０−２４Ｊ
９．２７４×１０−２４Ｊ＝２．５×１０−１５Ｊ×Ｋ    Ｋは１束のボーア磁子を作る仕事の変換率です。
Ｋ＝３．７１×１０−９
電子のラブが１束のボーア磁子を作る仕事の変換率は３．７１×１０−９です。
陽子のラブの仕事エネルギー＝走った距離×陽子のラブの質量エネルギー×Ｋ＝３．１４×６．６７×１０−１４ｍ×４．３４×１０４公転×１．５×１０−１０Ｊ×Ｋ＝１．３６３×１０−１８Ｊ×Ｋ
陽子のラブの仕事エネルギー＝１束の核磁子のエネルギー＝５．０５×１０−２７Ｊ
５．０５×１０−２７Ｊ＝１．３６３×１０−１８Ｊ×Ｋ    Ｋは１束の核磁子を作る仕事の変換率です。
Ｋ＝３．７１×１０−９
陽子のラブが１束の核磁子を作る仕事の変換率は３．７１×１０−９です。
▲３▼１秒間に磁気の光子を作る仕事の場合。
電子のラブの１秒間の仕事エネルギー＝走った距離×電子のラブの質量エネルギー×Ｋ＝３．１４×１．２５×１０−１０ｍ×（７．９６×１０７）２公転×８×１０−１４Ｊ×Ｋ＝１．９９×１０−７Ｊ×Ｋ
電子のラブの１秒間の仕事エネルギー＝電子のラブが１秒間に作る磁気の光子のエネルギー＝７．３８２×１０−１６Ｊ
７．３８２×１０−１６Ｊ＝１．９９×１０−７Ｊ×Ｋ    Ｋは１秒間に磁気の光子を作る仕事の変換率です。
Ｋ＝３．７１×１０−９
電子のラブが１束のボーア磁子を作る仕事の変換率は３．７１×１０−９です。
陽子のラブの１秒間の仕事エネルギー＝走った距離×陽子のラブの質量エネルギー×Ｋ＝３．１４×６．６７×１０−１４ｍ×３．４５×１０１２公転×１．５×１０−１０Ｊ×Ｋ＝１．０８４×１０−１０Ｊ×Ｋ
陽子のラブの１秒間の仕事エネルギー＝１秒間に作る磁気の光子のエネルギー＝４．０２×１０−１９Ｊ
４．０２×１０−１９Ｊ＝１．０８４×１０−１０Ｊ×Ｋ    Ｋは１秒間に磁気の光子を作る仕事の変換率です。
Ｋ＝３．７１×１０−９
陽子のラブが１秒間に磁気の光子を作る仕事の変換率は３．７１×１０−９です。
よって、Ｋを仕事率と考えると、電子のラブの仕事率と陽子のラブの仕事率は同じである。
Ｋを仕事の変換率と考えると、電子のラブの仕事の変換率と陽子のラブの仕事の変換率は同じである。
よって、電子のラブの自転の仕事エネルギーが磁気の光子に変換され磁気の光子のエネルギーになり、ボーア磁子はその１束である。
陽子のラブの自転の仕事エネルギーが磁気の光子に変換され磁気の光子のエネルギーになり、核磁子はその１束である。
この事によって、電子のラブや陽子のラブは純粋に光子の塊であると理解できる。
又次のようにも考えられる。
電子のラブと陽子のラブは光子を作る仕事をしている。その仕事は自転により磁気の光子を作ることである。その仕事は公転により電気の光子を作ることである。走って光子を作る仕事をしている。
ラブは自分がした仕事エネルギーの３．７１×１０−９倍のエネルギーを光子のエネルギーに変換する仕事をしている。
４．  電子のラブは１秒間に何Ｊの磁気の光子を作るか。何束のボーア磁子を作るか。
電子のラブは１秒間に、（７．９６×１０７）２回公転するので、７．９６×１０７束のボーア磁子を作る。
電子のラブは１秒間に、７．９６×１０７束×９．２７４×１０−２４Ｊ＝７．３８２×１０−１６Ｊの磁気の光子を作る。
これは、電子のラブのエネルギーの何分の１か。
８×１０−１４Ｊ÷（７．３８２×１０−１６Ｊ）＝１．０８４×１０２分の１です。
５．  陽子のラブは１秒間に何Ｊの磁気の光子を作るか。何束の核磁子を作るか。
陽子のラブが１秒間につくる磁気の光子のエネルギーは、電子のラブが１秒間に作る磁気の光子のエネルギーの１８３６分の１ですから、
７．３８２×１０−１６Ｊ÷１８３６＝４．０２×１０−１９Ｊです。
これは、核磁子が何束分か。
４．０２×１０−１９Ｊ÷（５．０５×１０−２７Ｊ）＝７．９６×１０７束です。
陽子のラブは、４．３４×１０４公転してできた磁気の光子（４．３４×１０４）２個が１束になり、１秒間に７．９６×１０７束作る。
陽子のラブは１秒間に、７．９６×１０７束×５．０５×１０−２７Ｊ＝４．０２×１０−１９Ｊの磁気の光子を作る。
これは、陽子のラブのエネルギーの何分の１か。
１．５×１０−１０Ｊ÷（４．０２×１０−１９Ｊ）＝３．７３×１０８分の１です。
６．  電子のラブの公転数と秒速はいくらか。陽子のラブの公転数と秒速はいくらか。
電子のラブは１秒間に（７．９６×１０７）２＝６．３３６×１０１５回公転する。
秒速は、３．１４×１．２５×１０−１０ｍ×６．３３６×１０１５回＝２．４８７×１０６ｍです。
陽子のラブは、１秒間に、４．３４×１０４公転が７．９６×１０７束ですから、
４．３４×１０４公転×７．９６×１０７＝３．４５５×１０１２公転です。
秒速は、３．１４×６．６７×１０−１４ｍ×３．４５５×１０１２公転＝７．２４×１０−１ｍです。
７．  ボーア磁子の軌道は何ｍか。ボーア磁子の磁気の光子の数の密度はいくらか。ボーア磁子の磁気の光子のエネルギーの密度はいくらか。核磁子の軌道は何ｍか。核磁子の磁気の光子の数の密度はいくらか。核磁子の磁気の光子のエネルギーの密度はいくらか。
ボーア磁子の磁気の光子１個のエネルギーは、９．２７４×１０−２４Ｊ÷（７．９６×１０７）２個＝１．４６×１０−３９Ｊです。
１公転のエネルギーは、１．４６×１０−３９Ｊ×７．９６×１０７個＝１．１６２×１０−３１Ｊです。
この軌道は、１０−３９Ｊｍ÷（１．１６２×１０−３１Ｊ）＝８．６×１０−９ｍです。
８．６×１０−９ｍに６．３３６×１０１５個の磁気の光子が存在する。
ボーア磁子の磁気の光子の数の密度＝６．３３６×１０１５個÷（８．６×１０−９ｍ）です。
ボーア磁子の磁気の光子のエネルギーの密度＝９．２７４×１０−２４Ｊ÷（８．６×１０−９ｍ）です。
核磁子の１個のエネルギーは、５．０５×１０−２７Ｊ÷（４．３４×１０４）２個＝２．６８×１０−３６Ｊです。
１公転のエネルギーは、２．６８×１０−３６Ｊ×４．３４×１０４個＝１．１６３×１０−３１Ｊです。
この軌道は、１０−３９Ｊｍ÷（１．１６３×１０−３１Ｊ）＝８．６×１０−９ｍです。
８．６×１０−９ｍに１．８８×１０９個の磁気の光子が存在する。
核磁子の磁気の光子の数の密度＝１．８８×１０９個÷（８．６×１０−９ｍ）です。
核磁子の磁気の光子のエネルギーの密度＝５．０５×１０−２７Ｊ÷（８．６×１０−９ｍ）です。
８．  ボーア磁子から、電子のラブが公転してできる電気の光子についてまとめます。
電子のラブが１公転でできるエネルギーはいくらか。
電子のラブが１公転でできる電気の光子のエネルギーは、磁気の光子７．９６×１０７個分のエネルギーですから、
９．２７４×１０−２４Ｊ÷（７．９６×１０７）＝１．１６５×１０−３１Ｊです。
この軌道は、
１０−３９Ｊｍ÷（１．１６５×１０−３１Ｊ）＝８．５８×１０−９ｍです。
１秒間にできる電気の光子のエネルギーは、
７．９６×１０７束×ボーア磁子＝７．９６×１０７束×９．２７４×１０−２４Ｊ＝７．３８２×１０−１６Ｊです。
よって、電子のラブが１秒間に作る電気の光子のエネルギー＝電子のラブが１秒間に作る磁気の光子のエネルギー＝７．３８２×１０−１６Ｊ
これは、電子のラブのエネルギーの、８×１０−１４Ｊ÷（７．３８２×１０−１６Ｊ）＝１．０８４×１０２分の１です。
電子のラブは１秒間に、（７．９６×１０７）２＝６．３３６×１０１５回公転し、６．３３６×１０１５個の電気の光子を作る。
１束の電気の光子のエネルギーはいくらか。
核磁子の１束の公転数は、７．９６×１０７公転ですから、電子のラブが作る１束の電気の光子のエネルギーは、
１．１６５×１０−３１Ｊ×７．９６×１０７公転＝９．２７３４×１０−２４Ｊです。
電子のラブが作る電気の光子のエネルギーの密度は、９．２７３４×１０−２４Ｊ÷（８．５８×１０−９ｍ）です。
１束の電気の光子の数はいくらか。
核磁子の１束の公転数は、７．９６×１０７公転ですから、１束の電気の光子の数は７．９６×１０７個です。
電子のラブが作る電気の光子の数の密度は、７．９６×１０７個÷（８．５８×１０−９ｍ）です。
９．  核磁子から、陽子のラブが公転してできる電気の光子についてまとめます。
陽子のラブが１公転でできるエネルギーはいくらか。
陽子のラブが１公転でできる電気の光子のエネルギーは、磁気の光子４．３４×１０４個分のエネルギーですから、
５．０５×１０−２７Ｊ÷（４．３４×１０４）＝１．１６５×１０−３１Ｊです。
この軌道は、
１０−３９Ｊｍ÷（１．１６５×１０−３１Ｊ）＝８．５８×１０−９ｍです。
よって、陽子のラブが１公転してできる電気の光子のエネルギー＝電子のラブが１公転してできる電気の光子のエネルギー＝陽子のラブが１公転してできる磁気の光子のエネルギー＝電子のラブが１公転してできる磁気の光子のエネルギー＝１．１６５×１０−３１Ｊ
よって、陽子のラブでできる電気の光子の軌道＝電子のラブでできる電気の光子の軌道＝８．５８×１０−９ｍ
１秒間にできる電気の光子のエネルギーは、
７．９６×１０７束×核磁子＝７．９６×１０７束×５．０５×１０−２７Ｊ＝４．０２×１０−１９Ｊです。
よって、陽子のラブが１秒間に作る電気の光子のエネルギー＝陽子のラブが１秒間作る磁気の光子のエネルギー＝４．０２×１０−１９Ｊ
これは、陽子のラブのエネルギーの、１．５×１０−１０Ｊ÷（４．０２×１０−１９Ｊ）＝３．７３×１０８分の１です。
陽子のラブは１秒間に、７．９６×１０７×４．３４×１０４＝３．４５５×１０１２回公転し、３．４５５×１０１２個の電気の光子を作る。
１束の電気の光子のエネルギーはいくらか。
核磁子の１束の公転数は、４．３４×１０４公転ですから、陽子のラブが作る１束の電気の光子のエネルギーは、
１．１６５×１０−３１Ｊ×４．３４×１０４公転＝５．０５×１０−２７Ｊです。
陽子のラブが作る電気の光子のエネルギーの密度は、５．０５×１０−２７Ｊ÷（８．５８×１０−９ｍ）です。
１束の電気の光子の数はいくらか。
核磁子の１束の公転数は、４．３４×１０４公転ですから、１束の電気の光子の数は４．３４×１０４個です。
陽子のラブが作る電気の光子の数の密度は、４．３４×１０４個÷（８．５８×１０−９ｍ）です。
１０．  ボーア磁子の磁気の光子の数の密度：核磁子の磁気の光子の数の密度はいくらか。
ボーア磁子の磁気の光子のエネルギーの密度：核磁子の磁気の光子のエネルギーの密度はいくらか。電子のラブが作る電気の光子の数の密度：陽子のラブが作る電気の光子の数の密度はいくらか。電子のラブが作る電気の光子のエネルギーの密度：陽子のラブが作る電気の光子のエネルギーの密度はいくらか。
ボーア磁子の磁気の光子の数の密度：核磁子の磁気の光子の数の密度はいくらか。
ボーア磁子の磁気の光子の数の密度＝６．３３６×１０１５個÷（８．６×１０−９ｍ）です。
核磁子の磁気の光子の数の密度＝１．８８×１０９個÷（８．６×１０−９ｍ）です。
ボーア磁子の磁気の光子の数の密度：核磁子の磁気の光子の数の密度＝６．３３６×１０１５個÷（８．６×１０−９ｍ）＝１．８８×１０９個÷（８．６×１０−９ｍ）＝６．３３６×１０１５個：１．８８×１０９個＝３．３７×１０６＝１８３６×１８３６：１
ボーア磁子の磁気の光子のエネルギーの密度：核磁子の磁気の光子のエネルギーの密度はいくらか。
ボーア磁子の磁気の光子のエネルギーの密度＝９．２７４×１０−２４Ｊ÷（８．６×１０−９ｍ）です。
核磁子の磁気の光子のエネルギーの密度＝５．０５×１０−２７Ｊ÷（８．６×１０−９ｍ）です。
ボーア磁子の磁気の光子のエネルギーの密度：核磁子の磁気の光子のエネルギーの密度＝９．２７４×１０−２４Ｊ÷（８．６×１０−９ｍ）：５．０５×１０−２７Ｊ÷（８．６×１０−９ｍ）＝９．２７４×１０−２４Ｊ：５．０５×１０−２７Ｊ＝１８３６：１
電子のラブが作る電気の光子の数の密度：陽子のラブが作る電気の光子の数の密度はいくらか。
電子のラブが作る電気の光子の数の密度は、７．９６×１０７個÷（８．５８×１０−９ｍ）です。
陽子のラブが作る電気の光子の数の密度は、４．３４×１０４個÷（８．５８×１０−９ｍ）です。
電子のラブが作る電気の光子の数の密度：陽子のラブが作る電気の光子の数の密度＝７．９６×１０７個÷（８．５８×１０−９ｍ）：４．３４×１０４個÷（８．５８×１０−９ｍ）＝７．９６×１０７個：４．３４×１０４個＝１８３４：１
電子のラブが作る電気の光子のエネルギーの密度：陽子のラブが作る電気の光子のエネルギーの密度はいくらか。
電子のラブが作る電気の光子のエネルギーの密度は、９．２７３４×１０−２４Ｊ÷（８．５８×１０−９ｍ）です。
陽子のラブが作る電気の光子のエネルギーの密度は、５．０５×１０−２７Ｊ÷（８．５８×１０−９ｍ）です。
電子のラブが作る電気の光子のエネルギーの密度：陽子のラブが作る電気の光子のエネルギーの密度＝９．２７３４×１０−２４Ｊ÷（８．５８×１０−９ｍ）：５．０５×１０−２７Ｊ÷（８．５８×１０−９ｍ）＝９．２７３４×１０−２４Ｊ：５．０５×１０−２７Ｊ＝１８３６：１
１１．  ボーア磁子の磁気の光子の数の密度：核磁子の磁気の光子の数の密度＝１８３６×１８３６：１になる原因は何か。
引力は磁気の光子のエネルギーの２乗です。
電子のラブの引力：陽子のラブの引力＝（電子のラブの磁気の光子のエネルギー）２：（陽子のラブの磁気の光子のエネルギー）２＝ボーア磁子２：核磁子２＝（９．２７４×１０−２４Ｊ）２：（５．０５×１０−２７Ｊ）２＝３．３７２×１０６：１＝１８３６×１８３６：１
よって、ボーア磁子の磁気の光子の数は電子のラブの引力に比例し、核磁子の磁気の光子の数は陽子のラブの引力に比例する。
１２．  ニュートリノについて。
本発明者は２００６年８月２０日に提出した特願２００６−２５０００２の「請求項１」に、電子のラブの軌道であった電気の光子の軌道が放出します。放出する電気の光子の軌道がニュートリノです、と記した。これは誤りです。
ニュートリノは電子のラブの軌道にあった電気の光子と磁気の光子が一緒に放出したものです。これは２００６年６月２７日提出した特願２００６−２０２５６０の「請求項１２」に記した。
【発明の効果】
【０００６】この発明によって次の事が理解できた。
１．電子のラブが公転軌道上を１回自転する軌道は４．９３×１０−１８ｍであり、この仕事によって、１．４６×１０−３９Ｊの磁気の光子１個を作る。この仕事の変換率は、１．１７９×１０−９です。
陽子のラブが公転軌道上を１回自転する軌道は４．８３×１０−１８ｍであり、この仕事によって、２．８６×１０−３６Ｊの磁気の光子１個を作る。この仕事の変換率は、１．１７９×１０−９です。
電子のラブが１束のボーア磁子を作る仕事の変換率は３．７１×１０−９です。
陽子のラブが１束の核磁子を作る仕事の変換率は３．７１×１０−９です。
電子のラブが１秒間に磁子の光子を作る仕事の変換率は３．７１×１０−９です。
陽子のラブが１秒間に磁子の光子を作る仕事の変換率は３．７１×１０−９です。
この事から、ラブは光子の塊であり、走った距離×自分の質量エネルギー×３．７１×１０−９を光子のエネルギーとする。
ラブが走った後に光子ができる。
ラブの仕事は光子を作ることで、光子を作る仕事の変換率は３．７１×１０−９です。
２．ボーア磁子１束は、電子のラブが１公転するとき７．９６×１０７回自転し７．９６×１０７個の磁気の光子を作り、７．９６×１０７回公転してできた磁気の光子（７．９６×１０７）２個の束である。
電子のラブは１秒間にボーア磁子を７．９６×１０７束作る。
電子のラブは１秒間に７．３８２×１０−１６Ｊの磁気の光子と電気の光子を作る。これは、電子のラブのエネルギーの１００分の１です。
核磁子１束は、陽子のラブが１公転するとき４．３４×１０４回自転し４．３４×１０４個の磁気の光子を作り、４．３４×１０４回公転してできた磁気の光子（４．３４×１０４）２個の束である。
陽子のラブは１秒間に核磁子を７．９６×１０７束作る。
陽子のラブは１秒間に４．０２×１０−１９Ｊの磁気の光子と電気の光子を作る。これは、陽子のラブのエネルギーの３．７３×１０８分の１です。
電子のラブの１秒間の公転数は６．３３６×１０１５回で、秒速は２．４８７×１０６ｍです。
陽子のラブの１秒間の公転数は３．４５５×１０１２回で、秒速は７．２４×１０−１ｍです。
３．ボーア磁子の磁気の光子の数の密度：核磁子の磁気の光子の数の密度＝１８３６×１８３６：１になる原因は、電子のラブの引力：陽子のラブの引力＝電子のラブが作る磁気の光子のエネルギー２：陽子のラブが作る磁気の光子のエネルギー２＝ボーア磁子２：核磁子２であるからです。
【図面の簡単な説明】
【０００７】
【図１】電子のラブが公転軌道上を１回自転する軌道は４．９３×１０−１８ｍであり、この仕事によって、１．４６×１０−３９Ｊの磁気の光子１個を作る。この仕事の変換率は、１．１７９×１０−９です。電子のラブは１０−２８ｍなので、自分の大きさの１０１０倍の軌道を１自転する。電子のラブは１公転で、７．９６×１０７回自転し、７．９６×１０７個の磁気の光子を作る。電子のラブは１秒間に（７．９６×１０７）２回公転し、７．９６×１０７束のボーア磁子を作る。このエネルギーは７．３８２×１０−１６Ｊです。電子のラブが１秒間に磁子の光子を作る仕事の変換率は３．７１×１０−９です。陽子のラブが公転軌道上を１回自転する軌道は４．８３×１０−１８ｍであり、この仕事によって、２．８６×１０−３６Ｊの磁気の光子１個を作る。この仕事の変換率は、１．１７９×１０−９です。陽子のラブは１０−３１ｍなので、自分の大きさの１０１３倍の軌道を１自転する。陽子のラブは１公転で、４．３４×１０４回自転し、４．３４×１０４個の磁気の光子を作る。陽子のラブは１秒間に３．４５×１０１２回公転し、７．９６×１０７束の核磁子を作る。このエネルギーは４．０２×１０−１９Ｊです。陽子のラブが１秒間に磁子の光子を作る仕事の変換率は３．７１×１０−９です。
【図２】ボーア磁子１束は、電子のラブが１公転するとき７．９６×１０７回自転し７．９６×１０７個の磁気の光子を作り、７．９６×１０７回公転してできた磁気の光子（７．９６×１０７）２個の束である。電子のラブは１秒間にボーア磁子を７．９６×１０７束作る。電子のラブが１束のボーア磁子を作る仕事の変換率は３．７１×１０−９です。核磁子１束は、陽子のラブが１公転するとき４．３４×１０４回自転し４．３４×１０４個の磁気の光子を作り、４．３４×１０４回公転してできた磁気の光子（４．３４×１０４）２個の束である。陽子のラブは１秒間に核磁子を７．９６×１０７束作る。陽子のラブが１束の核磁子を作る仕事の変換率は３．７１×１０−９です。
【符号の説明】
【０００８】１  電子のラブ
２  電子のラブの公転軌道
３  電子のラブが１自転する軌道
４  陽子のラブ
５  陽子のラブの公転軌道
６  陽子のラブが１自転する軌道
７  １束のボーア磁子
８  １束の核磁子
【図１】
2007236184.tif 000003
【図２】
2007236184.tif 000004